(57)【要約】      （修正有）【課題】防音性を向上し、雨水や塵埃等が内部に侵入することを低減する。【解決手段】ベース１４と、ベース１４上のポンプ部１ａと、接続配管が接続されるポンプ部１ａの配管接続口３１，３２と、ベース１４と組み合わされるポンプカバー１０と、を備え、ポンプカバー１０は、配管接続口３１，３２を遮らないようにポンプカバー凹部１３が形成されており、配管接続口３１，３２を遮らないように、ポンプカバー凹部１３を閉塞する遮蔽部１１を備える。【選択図】図６
2017190749.tif 000002
【特許請求の範囲】
【請求項１】
ベースと、
該ベース上のポンプ部と、
接続配管が接続される前記ポンプ部の配管接続口と、
前記ベースと組み合わされるポンプカバーと、を備え、
該ポンプカバーは、前記配管接続口を遮らないようにポンプカバー凹部が形成されており、
前記配管接続口を遮らないように、前記ポンプカバー凹部を閉塞する遮蔽部を備えたことを特徴とするポンプ装置。
【請求項２】
ベースと、
該ベース上の電動機と、
該電動機と接続して水に運動量を与える羽根車と、
該羽根車が内部に位置するケーシングと、
該ケーシングに固定されて配管接続口を有するケーシングカバーと、
前記ベースと組み合わされるポンプカバーと、を備え、
該ポンプカバーは、前記配管接続口を遮らないようにポンプカバー凹部が形成されており、
前記配管接続口を遮らないように、前記ポンプカバー凹部を閉塞する遮蔽部を備えたことを特徴とするポンプ装置。
【請求項３】
前記遮蔽部に勘合片を有し、
前記ベースに勘合溝が形成されており、
該勘合溝に前記勘合片が勘合することを特徴とする、請求項１又は２記載のポンプ装置。
【請求項４】
前記遮蔽部に係合溝を有し、
前記係合溝は前記ポンプカバー凹部の縁部をくわえ込んでいることを特徴とする、請求項１又は２記載のポンプ装置。
【請求項５】
前記遮蔽部は変形後に元の形状に戻る弾性又は柔軟性を有しており、
前記接続配管の通る接続配管連通孔が形成されており、
該接続配管連通孔の外径端部から、前記遮蔽部の端部に向けて離間部が形成されていることを特徴とする、請求項１又は２記載のポンプ装置。
【請求項６】
前記接続配管連通孔は複数形成されており、
該複数の接続配管連通孔同士を連通する中間離間部が形成されたことを特徴とする、請求項５記載のポンプ装置。
【発明の詳細な説明】
【技術分野】
【０００１】
本発明は、ポンプ装置に関するものである。
【背景技術】
【０００２】
本技術分野の背景技術として、特開平９−２９６７８０号公報（特許文献１）がある。特許文献１には、段落０００２に「従来のポンプ装置２９は、ポンプヘッド部５４，電動機１０，タンク６０と、それらを支持するポンプベース５６等で構成されている。そして、吸込水用，吐出水用，圧力水用の通水路はケ−シング５３に設けられ、特に深井戸用ポンプの場合は、ケーシング５３内部に吐出水通路２２が設けられ、ケーシング５３の通水路部に圧力調整装置１７が直結されている。」、段落０００３に「ポンプヘッド部５４及び電動機１０等を蓋うポンプカバー３０には、外部からの吸込管，吐出管，圧力管とポンプ装置２９の吸込フランジ、吐出フランジ、圧力フランジとを接続するための切欠き部３１を設けているのが一般的である。」と記載がある。
【先行技術文献】
【特許文献】
【０００３】
【特許文献１】特開平９−２９６７８０号公報
【発明の概要】
【発明が解決しようとする課題】
【０００４】
前記の如く、従来のポンプ装置はポンプカバーに切欠き部を設けているのが一般的である。そのため、電動機等の運転音が切り欠き部の隙間から漏れることで、騒音が大きくなることがあった。また、切り欠き部の隙間から、雨水や塵埃等が内部に侵入することがあった。
【０００５】
そこで本発明は、防音性を向上し、雨水や塵埃等が内部に侵入することを低減したポンプ装置の提供を目的とする。
【課題を解決するための手段】
【０００６】
上記課題を解決するために、本発明は、ベースと、該ベース上のポンプ部と、接続配管が接続される前記ポンプ部の配管接続口と、前記ベースと組み合わされるポンプカバーと、を備え、該ポンプカバーは、前記配管接続口を遮らないようにポンプカバー凹部が形成されており、前記配管接続口を遮らないように、前記ポンプカバー凹部を閉塞する遮蔽部を備えたことを特徴とする。
【発明の効果】
【０００７】
本発明によれば、防音性を向上し、雨水や塵埃等が内部に侵入することを低減することができる。
【図面の簡単な説明】
【０００８】
【図１】本発明の一実施例に係るポンプ装置の斜視図であり、ポンプカバーをベースから外した状態の図である。
【図２】本発明の一実施例に係るもので、ポンプ装置の縦断面図である。
【図３】本発明の一実施例に係るもので、ベースと遮蔽部の関係を説明する斜視図である。
【図４】本発明の一実施例に係るもので、ポンプカバーと遮蔽部の関係を説明する部分拡大斜視図である。
【図５】本発明の一実施例に係るもので、吸込管，圧力管と遮蔽部との関係を説明する部分斜視図である。
【図６】本発明の一実施例に係るもので、ポンプ装置に遮蔽部及びポンプカバーを取付けた状態の斜視図である。
【発明を実施するための形態】
【０００９】
以下、本発明の一実施例であるポンプ装置について、図面を参照して説明する。なお、本実施例は代表的なポンプとして渦巻きポンプを例示するが、渦巻きポンプに限定されるものではない。
【００１０】
図１は、本発明の一実施例に係るポンプ装置の斜視図であり、ポンプカバーをベースから外した状態の図である。
ポンプ装置１は、ポンプ構成部品が載置されるベース１４と、使用水量の急変による圧力変化を緩和する圧力タンク２と、ポンプ装置１を駆動する電動機３と、電動機３の回転数を変速させてポンプ装置１を制御する制御基板４（制御部）と、制御基板４と通信線で接続されて、ポンプ装置１の吐出圧力値の表示や運転圧力等の設定切り替え操作できる表示部５と、電動機３と接続して水に運動量を与える羽根車１５が内部に位置するケーシング１７と、ケーシング１７の背面に載置されたポンプ装置１の流量を検出する流量センサ２８と、圧力を略直線的に検出する圧力センサ８と、ポンプ装置１の圧力水の圧力を設定した圧力に保つコントロールバルブ９と、を備えている。
【００１１】
これら圧力タンク２、電動機３、制御基板４（制御部）、表示部５、ケーシング１７、流量センサ２８、圧力センサ８及びコントロールバルブ９（これらを「ポンプ部１ａ」と称する。なお、全ての構成部本を備えているものに限定されず、一部の構成部品がなくてもよい。）は、ベース１４上に配置されて、ベース１４に組み合わされるポンプカバー１０で覆われる。
【００１２】
羽根車１５と案内羽１６が位置するケーシング１７には、吸込口３１（配管接続口）を形成する吸込口フランジ１９と、圧力口３２（配管接続口）を形成する圧力口フランジ２０とを有するケーシングカバー１８が、ボルト等の締結手段で固定されている。なお、図１に示すケーシングカバー１８は、内部構造を説明するために右上を部分的にカットした状態であるが、実際はケーシング１７の外形寸法と略同等の外形寸法であり、その全周が所定間隔でボルト等の締結手段で固定されている。
【００１３】
ポンプ装置１は、ポンプ駆動用の電動機３を運転することによりポンプ動作が行われる。まず、ケーシング１７上部に備わる呼び水給水用栓２４を外して呼び水を給水し、ケーシング１７内を呼び水で満たした状態として、電動機３を運転することにより揚水運転を行う。
【００１４】
吸込口３１から揚水された水の大部分は、コントロールバルブ９により圧力口３２を通りジェットポンプ（図示しない）に送水され、残りの水が吐出口３３（図２参照）へと導かれる。
【００１５】
次に、図２を用いて、揚水が吐出口３３に導かれる流れを説明する。図２は、本発明の一実施例に係るもので、ポンプ装置の縦断面図である。揚水された水はケーシング１７を出てセンサ継手３０、流量センサ２８、コントロールバルブ９を介して吐出口３３に導かれる。これにより、水の汲み上げが可能となる。
【００１６】
一方、かかる揚水運転時に吐出口３３から先の吐出配管（図示しない）につながる流路が閉じられると、吐出配管から下流側の圧力が上がる。この圧力上昇を圧力センサ８（図１参照）が検知し、且つ流量センサ２８（図１，２参照）で検出した流量が規定値以下の場合、電動機３の運転を停止する。これにより、水の汲み上げが停止する。
【００１７】
次に本実施例の遮蔽部１１について、図３から図６を用いて説明する。図３は、本発明の一実施例に係るもので、ベースと遮蔽部の関係を説明する斜視図である。図４は、本発明の一実施例に係るもので、ポンプカバーと遮蔽部の関係を説明する部分拡大斜視図である。図５は、本発明の一実施例に係るもので、吸込管，圧力管と遮蔽部との関係を説明する部分斜視図である。図６は、本発明の一実施例に係るもので、ポンプ装置に遮蔽部及びポンプカバーを取付けた状態の斜視図である。
【００１８】
図３に示すように、ベース１４のケーシングカバー１８に対向する側壁面には、上縁部から下方に凹んだ凹部４０が形成されている。また、凹部４０の下面には、下方に凹む勘合溝４０ａが形成されている。
【００１９】
ケーシングカバー１８に対向する位置で、ベース１４の上方には、遮蔽部１１が配置される。遮蔽部１１は板状の部材であり、遮蔽部１１の下部には、下方に凸となる勘合片４１を有する。
【００２０】
遮蔽部１１の勘合片４１と、ベース１４の勘合溝４０ａは、互いに上下方向で勘合している。すなわち、遮蔽部１１を矢印Ａ方向（上方から下方）にスライドさせることで、遮蔽部１１の勘合片４１をベース１４の勘合溝４０ａに挿入する。これにより、遮蔽部１１はベース１４に位置決めされる。また、遮蔽部１１はベース１４の凹部４０の形状に沿う形状とすることで、ベース１４の凹部４０の隙間を閉塞するようにしている。これにより、ベース１４の凹部４０の隙間からの音漏れや、ポンプ装置１内部への塵埃等の侵入を抑制できる。また、遮蔽部１１のベース１４からの脱落を防止できる。
【００２１】
また、遮蔽部１１には側部に上下方向の係止溝１１ｃが形成されている。この係止溝１１ｃがポンプカバー凹部１３のポンプカバー凹部縁１３ａをくわえ込む構成である。これにより、ポンプカバー凹部１３と遮蔽部１１の隙間を閉塞して、音漏れ、塵埃の内部への侵入を低減することができる。
【００２２】
次に、図４、５を用いて、吸込管３４及び圧力管３５と、遮蔽部１１との関係を説明する。
先に説明したとおり、吸込口３１を形成する吸込口フランジ１９と、圧力口３２を形成する圧力口フランジ２０とは、ケーシングカバー１８に配置されている。吸込口３１と圧力口３２には、それぞれ管状の吸込管３４、圧力管３５（「接続配管」と称する）が接続されている（図５参照）。
【００２３】
ここで、一般的に、ポンプ装置１の施工後にメンテナンスを行う際、作業性を考慮して、吸込管３４ならびに圧力管３５を配管施工した状態のまま遮蔽部１１を取り外し、作業終了後に遮蔽部１１を取付け可能な構造が必要となる。
【００２４】
そこで、遮蔽部１１は、柔軟性を有する材料を用いる。一例として、変形後に元の形状に復元が可能な材料、樹脂、軟質塩化ビニル等がある。そして、遮蔽部１１には、吸込管３４、圧力管３５と対向する位置に、吸込管連通孔１１ａ、圧力管連通孔１１ｂ（「接続配管連通孔」と称する）を形成している。さらに、遮蔽部１１の一部に離間部３９を形成している。具体的に、離間部３９は、左右に並んで形成された吸込管連通孔１１ａ、圧力管連通孔１１ｂのいずれか一方の外径端部から、遮蔽部１１の端部に向けて切断されているように形成されている。本実施例では、水平方向に離間部３９が形成されている。
【００２５】
また、吸込管連通孔１１ａ、圧力管連通孔１１ｂの間には中間離間部３９ａが形成されており、吸込管連通孔１１ａ、圧力管連通孔１１ｂの外径同士が連通するようにしている。
【００２６】
なお、離間部３９と中間離間部３９ａは、略同一高さ位置で、略同一方向に所定幅形成されている。
【００２７】
この構成において、吸込管３４、圧力管３５は、それぞれ吸込管連通孔１１ａ、圧力管連通孔１１ｂを介して遮蔽部３９の裏面から表面に向けて連通している。遮蔽部３９は、離間部３９から上方部分を矢印Ｂ方向（上方）に移動させる（変形させる）ようにすることで、吸込管連通孔１１ａ、圧力管連通孔１１ｂの略中央付近を境に、上下に分割された状態となる。
【００２８】
遮蔽部１１を、離間部３９の上下間隔寸法が吸込管３４より大きくなるように、中間離間部３９ａの上下間隔寸法が吸込管３４及び圧力管３５より大きくなるようにした状態で、遮蔽部３９を矢印Ｃ方向（左右方向）に移動すると、吸込管３４、圧力管３５は吸込口３１と圧力口３２にそれぞれ接続した状態のまま、遮蔽部３９を着脱自在である。
【００２９】
なお、本実施例では離間部３９を吸込管連通孔１１ａ、圧力管連通孔１１ｂのいずれか一方の外径端部から、遮蔽部１１の端部に向けて形成しており、多方の外端部には離間部を形成していない。これにより、遮蔽部３９が分断することがなく取り扱いが容易で、遮音性の向上、塵埃の侵入抑制を図れる。
【００３０】
図１、図６に示すように、ポンプカバー１０の前面にはポンプカバー凹部１３が形成されており、吸込口３１と圧力口３２の前方を遮らないように、迂回する形状としている。ポンプカバー１０をベース１４上方から組み合わせると、ポンプカバー凹部１３とベース１４との間に形成された開口位置に、吸込口３１と圧力口３２が位置する構成となる。この場合、ポンプカバー１０とベース１４とで囲まれた電動機３等の構成部品の駆動により発生する音は、ポンプカバー凹部１３とベース１４との間に形成された開口から外部に漏れることとなる。
【００３１】
しかし本実施例では、ポンプカバー凹部１３とベース１４との間に形成された開口を塞ぐように、遮蔽部１１を配置している。これにより、ポンプカバー１０をベース１４に取り付けた状態で、吸込口３１と圧力口３２がポンプカバー１０の略中間位置を通る構成であっても、遮蔽部１１によりポンプカバー１０の隙間を閉塞することができる。
【００３２】
また、吸込口３１を形成する吸込口フランジ１９、圧力口３２を形成する圧力口フランジ２０、或いは吸込管３４、圧力管３５と接する位置に弾性又は柔軟性を有する遮蔽部１１を配置したことで、振動を低減することができる。
【００３３】
本実施例では、略水平方向に離間部３９が形成されている例について説明したが、特にこれに限定するものではない。吸込管連通孔１１ａ、圧力管連通孔１１ｂを分割する境界から遮蔽部３９を二分割する構成として、吸込管３４、圧力管３５は吸込口３１と圧力口３２にそれぞれ接続した状態のまま、遮蔽部３９を着脱自在とすればよい。
【００３４】
以上より、ベースと、該ベース上のポンプ部と、接続配管が接続される前記ポンプ部の配管接続口と、前記ベースと組み合わされるポンプカバーと、を備え、該ポンプカバーは、前記配管接続口を遮らないようにポンプカバー凹部が形成されており、前記配管接続口を遮らないように、前記ポンプカバー凹部を閉塞する遮蔽部を備える。これにより、ポンプカバー凹部が遮蔽部で遮蔽されるので、ポンプ部の駆動音がポンプカバー外部に漏れることを抑制し、雨水や塵埃等が内部に侵入することを低減する。
【００３５】
また、ベースと、該ベース上の電動機と、該電動機と接続して水に運動量を与える羽根車と、該羽根車が内部に位置するケーシングと、該ケーシングに固定されて配管接続口を有するケーシングカバーと、前記ベースと組み合わされるポンプカバーと、を備え、該ポンプカバーは、前記配管接続口を遮らないようにポンプカバー凹部が形成されており、前記配管接続口を遮らないように、前記ポンプカバー凹部を閉塞する遮蔽部を備える。これにより、電動機や羽根車の駆動音がポンプカバー外部に漏れることを抑制し、雨水や塵埃等が内部に侵入することを低減する。
【００３６】
また、前記遮蔽部に勘合片を有し、前記ベースに勘合溝が形成されており、該勘合溝に前記勘合片が勘合する。これにより、ベースと遮蔽部との勘合を確実にして、遮蔽部の脱落を抑制できる。また、ベースと遮蔽部の隙間の閉塞性を向上できる。
【００３７】
また、前記遮蔽部に係合溝を有し、前記係合溝は前記ポンプカバー凹部の縁部をくわえ込んでいる。これにより、ポンプカバーと遮蔽部の係合を確実にして、遮蔽部の脱落を抑制できる。また、ポンプカバーと遮蔽部の隙間の閉塞性を向上できる。
【００３８】
また、前記遮蔽部は変形後に元の形状に戻る弾性又は柔軟性を有しており、前記接続配管の通る接続配管連通孔が形成されており、該接続配管連通孔の外径端部から、前記遮蔽部の端部に向けて離間部が形成されている。これにより、接続配管を接続配管連通孔に接続した状態で、遮蔽部の着脱が容易となる。
【００３９】
また、前記接続配管連通孔は複数形成されており、該複数の接続配管連通孔同士を連通する中間離間部が形成される。これにより、複数の接続配管をそれぞれの接続配管連通孔に接続した状態であっても、遮蔽部の着脱が容易となる。
【符号の説明】
【００４０】
１…ポンプ装置、１ａ…ポンプ部、２…圧力タンク、３…電動機、４…制御基板、５…表示部、８…圧力センサ、９…コントローラバルブ、１０…ポンプカバー、１１…遮蔽部、１１ａ…吸込管連通孔（接続配管連通孔）、１１ｂ…圧力管連通孔（接続配管連通孔）、１３…ポンプカバー凹部、１３ａ…ポンプカバー凹部縁、１４…ベース、１５…羽根車、１６…案内羽、１７…ケーシング、１８…ケーシングカバー、１９…吸込フランジ、２０…圧力フランジ、２４…呼び水給水用栓、２８…流量センサ、３０…センサ継手、３１…吸込口（配管接続口）、３２…圧力口（配管接続口）、３３…吐出口、３４…吸込管（接続配管）、３５…圧力管（接続配管）、３９…離間部、４０…凹部、４０ａ…勘合溝、４１…勘合片
【図１】
2017190749.tif 000003
【図２】
2017190749.tif 000004
【図３】
2017190749.tif 000005
【図４】
2017190749.tif 000006
【図５】
2017190749.tif 000007
【図６】
2017190749.tif 000008